(57)【要約】【課題】自室から他の客室の在室状況を確認できる客室間制御システムを提供する。【解決手段】客室側制御部１０のアクセス要求発生部１１ａは、宿泊客による操作に応じて他の客室にある客室側制御部へのアクセス要求を発生する。サーバ１のアクセス権制御部１ａは、客室Ｒ１の客室側制御部１０からアクセス要求が入力されると、他の客室にある客室側制御部へアクセス要求を出力し、他の客室の宿泊客によってアクセス要求が許可されると、他の客室へのアクセスを認める。機器情報取得部１１ｂは、アクセス権制御部１ａによって他の客室へのアクセスが認められると、他の客室にある客室側制御部にアクセスして設備機器の動作状態を取得する。在室状態判定部１１ｃは、機器情報取得部１１ｂが取得した他の客室にある設備機器の動作状態をもとに他の客室での在室状態を判定し、自室内にあるモニタ機器２６に判定結果を表示させる。【選択図】図１
2013127697.tif 000002
【特許請求の範囲】
【請求項１】
宿泊施設にある複数の客室の各々に設けられた設備機器と、
複数の前記客室の各々に設けられて、自室にある前記設備機器の動作状態を管理する客室側制御部と、
何れかの前記客室側制御部から他の前記客室側制御部へのアクセス要求があると、要求元の前記客室側制御部から要求先の前記客室側制御部へのアクセス権限を判定するアクセス権制御部と備え、
各々の前記客室側制御部には、
宿泊客による操作に応じて他の客室にある前記客室側制御部へのアクセス要求を発生するアクセス要求発生部と、
前記アクセス権制御部によって前記他の客室にある前記客室側制御部へのアクセス権限が認められると、前記他の客室にある前記客室側制御部にアクセスし、前記他の客室にある前記設備機器の動作状態を取得する機器情報取得部と、
前記機器情報取得部が取得した前記他の客室にある前記設備機器の動作状態をもとに前記他の客室での在室状態を判定し、自室内にある表示部に判定結果を表示させる在室状態判定部とが設けられたことを特徴とする客室間制御システム。
【請求項２】
各々の前記客室側制御部に、前記アクセス権制御部によって前記他の客室にある前記客室側制御部へのアクセス権限が認められると、前記他の客室にある前記客室側制御部にアクセスし、前記他の客室にある前記設備機器の動作を制御する機器制御部が設けられたことを特徴とする請求項１記載の客室間制御システム。
【請求項３】
前記設備機器として、前記客室内に設けられルームキーの挿入を検知すると自室にある他の前記設備機器の動作を可能にするルームキー検知装置があり、
前記機器情報取得部は、前記他の客室にある前記ルームキー検知装置の検知状態を取得し、
前記在室状態判定部は、前記他の客室にある前記ルームキー検知装置によってルームキーが検知されていれば、前記他の客室に宿泊客が在室していると判断することを特徴とする請求項１又は２の何れかに記載の客室間制御システム。
【請求項４】
前記設備機器として、宿泊客によってオン／オフが切り替えられる電気機器があり、
前記機器情報取得部は、前記他の客室にある前記ルームキー検知装置の検知状態に加えて、前記他の客室にある前記電気機器のオン／オフ状態を取得し、
前記在室状態判定部は、前記ルームキー検知装置の検知状態をもとに在室中と判断した場合、前記他の客室にある前記電気機器のオン／オフ状態をもとに、宿泊客が起床中か就寝中かを判断することを特徴とする請求項３記載の客室間制御システム。
【請求項５】
前記設備機器として、前記客室の居室部分における人の存否を検知する人感センサがあり、
前記機器情報取得部は、前記他の客室にある前記ルームキー検知装置の検知状態に加えて、前記他の客室にある前記人感センサの検知状態を取得し、
前記在室状態判定部は、前記ルームキー検知装置の検知状態をもとに在室中と判断した場合、前記他の客室にある前記人感センサの検知結果をもとに、前記他の客室内で宿泊客が居室部分にいるか、居室部分以外にいるかを判断することを特徴とする請求項３記載の客室間制御システム。
【請求項６】
各々の前記客室側制御部に前記アクセス権制御部が設けられ、
前記アクセス権制御部は、他の客室にある前記客室側制御部からのアクセス要求に応じて、自室にある前記客室側制御部へのアクセス権限の有無を判定することを特徴とする請求項１乃至５の何れか１項に記載の客室間制御システム。
【発明の詳細な説明】
【技術分野】
【０００１】
本発明は、客室間制御システムに関するものである。
【背景技術】
【０００２】
従来、チェックイン時に発行したカードキーを客室の外側から記録媒体式施解錠装置に読み取らせることによって、ドアを施錠又は解錠させる施解錠システムがある（例えば特許文献１参照）。また、上記特許文献に開示された施解錠システムでは、客室の内側から記録媒体式施解錠装置に読み取らせることによって、客室ステータス情報を在室中とし、在室中は客室内にある電気機器の制御を可能とするようにしていた。また、各部屋の記録媒体式施解錠装置から、客在室の旨の情報をルーム管理装置に無線送信しており、ルーム管理装置では、どの部屋が在室中かを管理し、記憶部に記憶していた。
【先行技術文献】
【特許文献】
【０００３】
【特許文献１】特開２００９−１６２０１０号公報
【発明の概要】
【発明が解決しようとする課題】
【０００４】
上記特許文献の施解錠システムでは、ホテル側に設けられたルーム管理装置では、どの部屋が在室中かを把握することは可能である。しかしながら、例えばグループ客のメンバーが複数の部屋に別れて宿泊している場合に、あるメンバーが他の部屋に宿泊しているメンバーの在室状況を確認するためには、その部屋まで行って確認する必要があり、不便であった。
【０００５】
本発明は上記課題に鑑みて為されたものであり、その目的とするところは、自室から他の客室の在室状況を確認できる客室間制御システムを提供することにある。
【課題を解決するための手段】
【０００６】
上記課題を解決するために、本願の客室間制御システムは、設備機器と、客室側制御部と、アクセス権制御部と備える。設備機器は、宿泊施設にある複数の客室の各々に設けられている。客室側制御部は、複数の客室の各々に設けられて、自室にある設備機器の動作状態を管理する。アクセス権制御部は、何れかの客室側制御部から他の客室側制御部へのアクセス要求があると、要求元の客室側制御部から要求先の客室側制御部へのアクセス権限を判定する。そして、各々の客室側制御部には、アクセス要求発生部と、機器情報取得部と、在室状態判定部とが設けられている。アクセス要求発生部は、宿泊客による操作に応じて他の客室にある客室側制御部へのアクセス要求を発生する。機器情報取得部は、アクセス権制御部によって他の客室にある客室側制御部へのアクセス権限が認められると、他の客室にある客室側制御部にアクセスし、他の客室にある設備機器の動作状態を取得する。在室状態判定部は、機器情報取得部が取得した他の客室にある設備機器の動作状態をもとに他の客室での在室状態を判定し、自室内にある表示部に判定結果を表示させる。
【０００７】
この客室間制御システムにおいて、各々の客室側制御部に機器制御部が設けられることも好ましい。アクセス権制御部によって他の客室にある客室側制御部へのアクセス権限が認められると、機器制御部は、他の客室にある客室側制御部にアクセスし、他の客室にある設備機器の動作を制御する。
【０００８】
この客室間制御システムにおいて、設備機器として、客室内に設けられルームキーの挿入を検知すると自室にある他の設備機器の動作を可能にするルームキー検知装置がある。機器情報取得部は、他の客室にあるルームキー検知装置の検知状態を取得し、在室状態判定部は、他の客室にあるルームキー検知装置によってルームキーが検知されていれば、他の客室に宿泊客が在室していると判断することも好ましい。
【０００９】
この客室間制御システムにおいて、設備機器として、宿泊客によってオン／オフが切り替えられる電気機器がある。機器情報取得部は、他の客室にあるルームキー検知装置の検知状態に加えて、他の客室にある電気機器のオン／オフ状態を取得する。在室状態判定部は、ルームキー検知装置の検知状態をもとに在室中と判断した場合、他の客室にある電気機器のオン／オフ状態をもとに、宿泊客が起床中か就寝中かを判断することも好ましい。
【００１０】
この客室間制御システムにおいて、設備機器として、客室の居室部分における人の存否を検知する人感センサがある。機器情報取得部は、他の客室にあるルームキー検知装置の検知状態に加えて、他の客室にある人感センサの検知状態を取得する。在室状態判定部は、ルームキー検知装置の検知状態をもとに在室中と判断した場合、他の客室にある人感センサの検知結果をもとに、他の客室内で宿泊客が居室部分にいるか、居室部分以外にいるかを判断することも好ましい。
【００１１】
この客室間制御システムにおいて、各々の客室側制御部にアクセス権制御部が設けられ、アクセス権制御部は、他の客室にある客室側制御部からのアクセス要求に応じて、自室にある客室側制御部へのアクセス権限の有無を判定することも好ましい。
【発明の効果】
【００１２】
本発明によれば、ある客室に宿泊する宿泊客が、他の客室に宿泊する宿泊客の在室状態を知りたい場合、自室にある客室側制御部からアクセス要求を発生させる。自室にある客室側制御部は、他の客室にある客室側制御部からアクセス権限が認められると、他の客室にある客室側制御部にアクセスして設備機器の動作状態を取得する。そして、在室状態判定部は、取得した設備機器の動作状態をもとに、他の客室での在室状態を判定し、自室内にある表示部に判定結果を表示させているので、自室に居ながらにして他の客室での在室状態を把握できるから、宿泊客の利便性が向上する。また、他の客室へのアクセスを要求した客室側制御部は、アクセス権制御部によってアクセス権限が認められなければ、他の客室の客室側制御部にアクセスできないので、アクセス権限が認められた客室からしか在室状態が判らないように制限を掛けることができる。
【図面の簡単な説明】
【００１３】
【図１】本実施形態の客室間制御システムに用いられる客室側制御部のブロック図である。
【図２】同上の概略的なシステム構成図である。
【図３】同上のアクセス権制御を説明する説明図である。
【図４】同上のフローチャートである。
【図５】（ａ）〜（ｃ）は同上のモニタ機器に表示されるＷｅｂページの例図である。
【発明を実施するための形態】
【００１４】
本実施形態の客室間制御システムは、宿泊施設にある複数の客室の何れかを利用する宿泊客が、他の客室を利用する宿泊客の在室状態を確認できるようにしたシステムであり、このシステムについて図１〜図５を参照して説明を行う。
【００１５】
図２は客室間制御システムの概略的なシステム構成図である。本システムは、宿泊施設のフロントＦ１に設けられたサーバ１と、客室Ｒ１，Ｒ２，…，Ｒｎ（ｎは３以上の整数）の各々に設けられた客室側制御部１０及び設備機器（例えば照明器具２１，２２及び空調装置２３）とを主要な構成として備える。
【００１６】
客室Ｒ１，Ｒ２，…，Ｒｎの各々には、設備機器として、宿泊客によってオン／オフが切り替えられる電気機器（例えば照明器具２１，２２及び空調装置２３）と、人感センサ２４と、ルームキー読取部２５とが設置されている。人感センサ２４は、人体から放射される熱線を検知することによって、人の存否を検知する焦電型の赤外線検出素子で構成されている。人感センサ２４は、客室内の居室部分（浴室、洗面室、トイレなど一時的に利用する領域以外の部分）において、人の存否を検知する。ルームキー読取部２５（ルームキー検知装置）は、宿泊客が所持するルームキー（例えば非接触形のＩＣカードのような記憶媒体）が室内側から挿入される挿入口を備えたカードリーダからなる。客室内に入った宿泊客がルームキー読取部２５の挿入口にルームキーを挿入すると、ルームキー読取部２５はルームキーとの間で無線通信を行ってＩＤ情報を読み取り、読み取ったＩＤ情報を客室側制御部１０に出力する。客室側制御部１０は、ルームキー読取部２５が読み取ったＩＤ情報を認証し、認証に成功すれば、客室内にある設備機器の動作を可能にする。尚、客室Ｒ１，Ｒ２，…，Ｒｎの各々には、宿泊客によってオン／オフが切り替えられる電気機器として照明器具２１，２２及び空調装置２３が設置されているが、電気機器は照明器具や空調装置に限定されるものではない。電気機器は照明や空調以外で客室内の環境を制御する環境制御機器でもよいし、環境制御以外の用途に用いられる機器でもよい。
【００１７】
図１は客室側制御部１０のブロック図であり、客室側制御部１０は、制御処理部１１と、機器入出力処理部１２と、Ｗｅｂサーバ機能部１３と、上位通信処理部１４とを備えている。
【００１８】
制御処理部１１は例えばマイクロコンピュータからなり、客室側制御部１０の全体的な制御を行う。制御処理部１１はアクセス要求発生部１１ａと機器情報取得部１１ｂと在室状態判定部１１ｃと機器制御部１１ｄとを主要な構成として備える。アクセス要求発生部１１ａは、宿泊客による操作に応じて他の客室にある客室側制御部１０へのアクセス要求を発生し、上位通信処理部１４からサーバ１へ送信させる。機器情報取得部１１ｂは、後述するサーバ１のアクセス権制御部１ａによって他の客室にある客室側制御部１０へのアクセス権限が認められると、サーバ１経由で他の客室にある客室側制御部１０にアクセスする。そして、機器情報取得部１１ｂは、他の客室にある客室側制御部１０から他の客室にある設備機器の動作状態を送信させ、サーバ１経由で他の客室にある設備機器の動作状態を取得する。在室状態判定部１１ｃは、機器情報取得部１１ｂが取得した他の客室にある設備機器の動作状態をもとに、他の客室における宿泊客の在室状態を判定し、自室内にあるモニタ機器２６（表示部）に判定結果を表示させる。モニタ機器２６は、タッチパネル付きのディスプレイを備えたものであり、例えばテレビ２７やタブレット端末２８などがある。モニタ機器２６はＷｅｂページを表示可能なようにＷｅｂブラウザを搭載している。機器制御部１１ｄは、アクセス権制御部１ａによってアクセス権限が認められた場合、サーバ１経由で他の客室にある客室側制御部１０にアクセスし、他の客室にある設備機器を動作させる制御命令を送信する。この時、他の客室にある客室側制御部１０は、アクセス要求を発した客室側制御部１０からの制御命令にしたがって、自室にある設備機器の動作を制御する。ここにおいて、アクセス要求発生部１１ａと機器情報取得部１１ｂと在室状態判定部１１ｃと機器制御部１１ｄとはマイクロコンピュータの演算機能によって実現されている。
【００１９】
機器入出力処理部１２は、設備機器である照明器具２１，２２、空調装置２３、人感センサ２４及びルームキー読取部２５との間で通信を行い、照明器具２１，２２又は空調装置２３に例えばオン／オフ状態を切り替える制御信号を出力する。また機器入出力処理部１２は、照明器具２１，２２及び空調装置２３から動作状態（例えばオン／オフ状態）を示す情報を取得する。また機器入出力処理部１２は、人感センサ２４から人の検知状態を示す情報を取得する。また機器入出力処理部１２は、ルームキー読取部２５からルームキーが挿入されたか否かを示す情報を取得する。
【００２０】
Ｗｅｂサーバ機能部１３は、客室内で使用されるモニタ機器２６に表示させるＷｅｂページの画面データを保持している。モニタ機器２６は有線ＬＡＮ又は無線ＬＡＮを介して客室側制御部１０に接続されており、Ｗｅｂサーバ機能部１３から送信されたＷｅｂページの画面データをもとに、図５（ａ）〜（ｃ）に示すようなＷｅｂページを表示する。また、モニタ機器２６はタッチパネル付きのディスプレイを備えており、Ｗｅｂページに表示された操作ボタンが操作者（例えば宿泊者）によってタッチ操作されると、操作に応じた制御信号をＷｅｂサーバ機能部１３に送信する。ここで、モニタ機器２６からＷｅｂサーバ機能部１３に送信された制御信号は、Ｗｅｂサーバ機能部１３を通じて制御処理部１１に出力される。尚、モニタ機器２６としては、ＩＰネットワークに接続する通信機能とＷｅｂブラウザと操作部（例えばタッチパネルなど）を備えた端末であれば、テレビ２７やタブレット端末２８以外の端末でもよく、ＩＰ電話機やスマートホン等でもよい。
【００２１】
客室Ｒ１，Ｒ２，…，Ｒｎの各々に設置された客室側制御部１０は、例えばＥｔｈｅｒｎｅｔ（登録商標）のような構内ネットワークＮＴ１を介して、フロントＦ１に設けられたサーバ１に接続されている。サーバ１及び客室側制御部１０にはそれぞれ個別のアドレスが割り当てられている。サーバ１は構内ネットワークＮＴ１に接続された全客室側制御部１０のアドレスを管理しており、サーバ１及び客室側制御部１０の間ではアドレスを含む伝送信号を送受信することによって、信号の授受が行われている。
【００２２】
サーバ１には、客室Ｒ１，Ｒ２，…，Ｒｎの各々に設置された客室側制御部１０からのアクセス要求がネットワーク経由で送られてくると、アクセス権限の有無を判定するアクセス権制御部１ａが設けられている。本実施形態では、アクセス権制御部１ａは、何れかの客室から他の客室へのアクセス要求があった際に、要求先の客室にある客室側制御部１０にアクセス権限を付与するか否かを問い合わせ、要求先からの応答に応じて、アクセスを許可するか否かを判断する。
【００２３】
ここで、客室Ｒ１，Ｒ２に同じ団体客が宿泊しており、客室Ｒ１（例えば１０１号室）の宿泊客が客室Ｒ２（例えば１０２号室）の在室状況を確認する際の動作について、図３を参照して説明する。
【００２４】
客室Ｒ１の宿泊客は、自室にあるモニタ機器２６に表示されたＷｅｂページの操作ボタンを操作することによって、他の客室にある客室側制御部１０へのアクセス要求を発生するＷｅｂページをモニタ機器２６に表示させる。図５（ａ）はアクセス要求を発生するＷｅｂページ２６ａの一例である。宿泊客は、このＷｅｂページ２６ａの入力欄Ｗ１に要求先の客室番号である「１０２」を入力する。その後、宿泊客が操作ボタンＢ１を選択操作すると、１０２号室（客室Ｒ２）へのアクセスを要求する信号がモニタ機器２６からＷｅｂサーバ機能部１３に出力される（図３のＳ１１）。客室側制御部１０では、Ｗｅｂサーバ機能部１３がモニタ機器２６からのアクセス要求信号を受け取ると、このアクセス要求信号が制御処理部１１に送られ、制御処理部１１のアクセス要求発生部１１ａが、客室Ｒ２へのアクセス要求を発生する。この時、アクセス要求発生部１１ａが発したアクセス要求は、上位通信処理部１４を介してサーバ１に送信される（図３のＳ１２）。
【００２５】
サーバ１のアクセス権制御部１ａは、客室Ｒ１の客室側制御部１０からアクセス要求を受信すると、要求先である客室Ｒ２に設置された客室側制御部１０のアドレスを指定してアクセス要求を送信する（図３のＳ１３）。客室Ｒ２の客室側制御部１０は、客室Ｒ１からアクセス要求を受け取ると、客室Ｒ１（１０１号室）からアクセス要求があったことを知らせるＷｅｂページ２６ｃを自室にあるモニタ機器２６に表示させ（図３のＳ１４）、モニタ機器２６から報知音を出力させる。図５（ｃ）はこの時に表示されるＷｅｂページ２６ｃの一例である。このＷｅｂページ２６ｃには、客室Ｒ１（１０１号室）からのアクセス要求があったことを伝えるメッセージと、アクセス要求を了解するか拒否するかを選択する操作ボタンＢ２，Ｂ３とが表示されている。
【００２６】
ここで、客室Ｒ２の宿泊客が「了解」の操作ボタンＢ２を選択操作すると、モニタ機器２６から客室Ｒ２の客室側制御部１０へアクセス権限を認める応答信号が出力される（図３のＳ１５）。客室Ｒ２の客室側制御部１０は、モニタ機器２６からアクセス権限を認める応答信号が入力されると、サーバ１に対してアクセス権限を認める応答信号を出力する（図３のＳ１６）。この時、サーバ１のアクセス権制御部１ａは、要求元である客室Ｒ１の客室側制御部１０に対してアクセス権限を認める旨の応答信号を出力するとともに、客室Ｒ１から客室Ｒ２へのアクセス権限が許可されたことを記憶部（図示せず）に記憶させる。客室Ｒ１の客室側制御部１０は、サーバ１から送信されたアクセス権限を認める旨の応答信号を受け取ると、客室Ｒ２へのアクセス要求が許可されたことを示すＷｅｂページの画像データをモニタ機器２６に送信し、モニタ機器２６に表示させる。図５（ｂ）はアクセス要求が許可されたことを示すＷｅｂページ２６ｂの一例である。このＷｅｂページ２６ｂには、客室Ｒ２（１０２号室）へのアクセス要求が認められた旨のメッセージと、メッセージの内容を確認したことを示す操作ボタンＢ４とが表示されている。ここで、客室Ｒ１の宿泊客が、モニタ機器２６に表示されたＷｅｂページ２６ｂを見て、操作ボタンＢ４を選択操作すると、モニタ機器２６は客室Ｒ２での在室状態を確認する画面に切り替わる。
【００２７】
上述のようにして客室Ｒ１から客室Ｒ２へのアクセス権限が許可されると、客室Ｒ１にある客室側制御部１０の機器情報取得部１１ｂは、サーバ１経由で客室Ｒ２の客室側制御部１０にアクセスする。そして、客室Ｒ１にある客室側制御部１０の機器情報取得部１１ｂは、客室Ｒ２にある客室側制御部１０から、客室Ｒ２に設置された設備機器の動作状態を送信させる。
【００２８】
この時、制御処理部１１の在室状態判定部１１ｃは、機器情報取得部１１ｂが取得した設備機器の動作状態をもとに、客室Ｒ２での宿泊客の在室状態を判断する。本実施形態では設備機器として照明器具２１，２２と空調装置２３と人感センサ２４とルームキー読取部２５がある。ルームキー読取部２５によってルームキーの挿入が検出されていれば、在室状態判定部１１ｃは、客室Ｒ２に宿泊客が在室していると判断する。ルームキー読取部２５によってルームキーの挿入が検出されていなければ、在室状態判定部１１ｃは、客室Ｒ２に宿泊客が在室していない（不在である）と判断する。
【００２９】
また在室状態判断部１１ｃは、ルームキーの検出状態をもとに在室中と判断した場合、照明器具２１，２２及び空調装置２３の動作状態をもとに客室Ｒ２の宿泊客が起床中か就寝中かを判断することもできる。照明器具２１，２２及び空調装置２３は宿泊客によってオン／オフが切り替えられる電気機器であり、照明器具２１，２２は就寝中はオフ（消灯）されると考えられる。したがって、照明器具２１又は２２が一定時間オン（点灯）された後でオフ（消灯）されると、在室状態判断部１１ｃは宿泊客が就寝したと判断する。また、照明器具２１又は２２が一定時間オフされた後でオンになると、在室状態判断部１１ｃは宿泊客が起床したと判断する。
【００３０】
また在室状態判断部１１ｃは、ルームキーの検出状態をもとに在室中と判断した場合、人感センサ２４の検知結果をもとに宿泊客がいる場所をさらに絞り込むこともできる。すなわち、在室中と判断した場合に人感センサ２４が人を検知していれば、在室状態判断部１１ｃは宿泊客が居室空間にいると判断する。一方、在室中と判断した場合に人感センサ２４が人を検知していなければ、在室状態判断部１１ｃは宿泊客が居室空間以外の部分（例えば浴室）にいると判断する。
【００３１】
上述のように在室状態判断部１１ｃによって在室状態が判断されると、制御処理部１１は、Ｗｅｂサーバ機能部１３に在室状態の判断結果を出力する。Ｗｅｂサーバ機能部１３は、制御処理部１１から在室状態の判断結果が入力されると、モニタ機器２６に在室状態の判断結果を表示させており、客室Ｒ１の宿泊者はモニタ機器２６の表示をもとに客室Ｒ２を利用する宿泊客の在室状態を把握することができる。したがって、客室Ｒ１の宿泊客は、客室Ｒ２まで出向いて在室状態を確認したり、客室Ｒ２の宿泊客に電話をかけたりして、在室状態を確認する必要が無く、客室Ｒ２内で宿泊客の在室状態を容易に確認できる。
【００３２】
尚、上述の実施形態では、何れかの客室を利用する宿泊客が、自室にある客室側制御部１０を用いて他の客室へのアクセス要求を出力すると、サーバ１経由で他の客室の客室側制御部１０にアクセス要求が送信される。そして、他の客室を利用する宿泊客が、客室側制御部１０を用いてアクセス要求を認めるか、或いは、拒否する操作を行うことによって、アクセス権限を設定しているが、宿泊施設の管理者側でサーバ１にアクセス権限を設定しておいてもよい。例えば団体客が複数の客室に別れて宿泊する場合、宿泊施設の管理者（例えばフロント係）は、団体客の要望を受けて、団体客のメンバーが宿泊する客室間で相互にアクセスが可能なようにアクセス権限を設定する。
【００３３】
ここで、サーバ１のアクセス権制御部１ａに客室Ｒ１から客室Ｒ２へのアクセス権限が予め設定されている場合に、客室Ｒ１の宿泊客が客室Ｒ２へのアクセス要求を発する場合の動作を図４のフローチャートに基づいて説明する。
【００３４】
客室Ｒ１の宿泊客が、自室にあるモニタ機器２６に表示されたＷｅｂページの操作ボタンを操作することによって、他の客室にある客室側制御部１０へのアクセス要求を発生するＷｅｂページ（図５（ａ）参照）をモニタ機器２６に表示させる。宿泊客は、このＷｅｂページ２６ａの入力欄Ｗ１に要求先の客室番号である「１０２」を入力した後、操作ボタンＢ１を選択操作すると、１０２号室（客室Ｒ２）へのアクセスを要求する信号がモニタ機器２６からＷｅｂサーバ機能部１３に出力される。客室側制御部１０では、Ｗｅｂサーバ機能部１３がモニタ機器２６からのアクセス要求信号を受け取ると、このアクセス要求信号が制御処理部１１に送られ、制御処理部１１のアクセス要求発生部１１ａが、客室Ｒ２へのアクセス要求を発生する。この時、アクセス要求発生部１１ａが発したアクセス要求は、上位通信処理部１４を介してサーバ１に送信される。
【００３５】
サーバ１のアクセス権制御部１ａは、客室Ｒ１の客室側制御部１０からアクセス要求を受信すると（ステップＳ２１）、客室側制御部１０からの要求が在室状況の確認要求であるか否かを判断する（ステップＳ２２）。ここで、客室側制御部１０からの要求が在室状況の確認要求でなければ、サーバ１は別処理に移行する（ステップＳ２３）。一方、客室側制御部１０からの要求が在室状況の確認要求であれば、サーバ１は、客室Ｒ１の客室側制御部１０に客室Ｒ２へのアクセス権限があるか否かを判断する（ステップＳ２４）。
【００３６】
ステップＳ２４の判定でアクセス権限無しと判定されると、アクセス権制御部１ａは、要求元である客室Ｒ１の客室側制御部１０に、アクセス権限が無いことを示す信号を返送する。この信号を受信した客室Ｒ１の客室側制御部１０は、自室にあるモニタ機器２６にアクセス権限が無い旨を表示して（ステップＳ２５）、客室Ｒ１の宿泊客にアクセス権限がないことを報知する。
【００３７】
一方、ステップＳ２４の判定でアクセス権限があると判定された場合、アクセス権制御部１ａは、要求先である客室Ｒ２の客室側制御部１０に、在室状況の確認要求信号を出力する（ステップＳ２６）。サーバ１は、客室Ｒ２の客室側制御部１０に確認要求信号を出力すると、客室側制御部１０からの返答待ちの状態となる（ステップＳ２７）。客室Ｒ２の客室側制御部１０は、サーバ１から送信された在室状況の確認要求信号を受信すると、自室にある設備機器の動作状態を確認し、動作状態を示す信号をサーバ１へ返送する。サーバ１は、客室Ｒ２の客室側制御部１０から動作状態を示す信号が返送されると、この信号を要求元である客室Ｒ１の客室側制御部１０へ送信する。客室Ｒ１の客室側制御部１０は、サーバ１経由で客室Ｒ２の客室側制御部１０から送信された設備機器の動作状態を受信すると、この信号をもとに客室Ｒ２を利用する宿泊者の在室状態を判定し、判定結果をモニタ機器２６に表示させる。このように、サーバ１側でアクセス権限が予め設定されている場合でも、アクセス権限の有無をアクセス権制御部１ａが判断することによって、アクセス権限が認められている場合のみ他の客室の客室側制御部１０にアクセスして、設備機器の動作状態を取得できる。アクセス要求が許可された場合、他の客室にある設備機器の動作状態をもとに、他の客室での在室状態を判断してモニタ機器に判断結果が表示される。したがって、他の客室まで出向いたり、電話をかけたりすることなく、他の客室での在室状態を把握できる。
【００３８】
尚、上記の実施形態では、要求先の客室にある客室側制御部１０から、要求元の客室にある客室側制御部１０へ、サーバ１を経由して設備機器の動作状態が返送されることになる。そのため、要求先の客室における設備機器の動作状態をフロント側でも見られる状態となる。したがって、フロント側に設備機器の動作状態を知らせたく無い場合は、要求先の客室側制御部１０から要求元の客室側制御部１０へサーバ１を経由せずに設備機器の動作状態を示す情報を送信すればよい。
【００３９】
この場合、各々の客室にある客室側制御部１０には、他の客室にある客室側制御部１０のアドレスが予め登録されている。また各々の客室にある客室側制御部１０にはアクセス権制御部がそれぞれ設けられている。そして、各部屋の客室側制御部１０に設けられたアクセス権制御部は、他の客室にある客室側制御部１０からのアクセス要求に応じて、自室にある客室側制御部１０へのアクセス権限の有無を判定する。ここで、何れかの客室にある客室側制御部１０から、他の客室にある客室側制御部１０にアクセスする場合は、要求先の客室側制御部１０のアドレスを指定してアクセス要求を直接送信する。この時、要求先の客室にある客室側制御部１０は、図５（ｃ）に示すようなＷｅｂページ２６ｃをモニタ機器２６に表示させて、アクセスを許可するか否かを宿泊客に選択させる。宿泊客によってアクセスが許可されると、要求先の客室側制御部１０に設けられたアクセス権制御部は要求元の客室側制御部１０からのアクセスを許可して、設備機器の動作状態を送信する。この時、要求元の客室側制御部１０は、要求先の客室側制御部１０から設備機器の動作状態を直接取得することができ、設備機器の動作状態をもとに在室状態を判定する。一方、宿泊客によってアクセスが拒否されると、要求先の客室側制御部１０に設けられたアクセス権制御部は要求元の客室側制御部１０からのアクセスを拒否し、設備機器の動作状態を送信させない。このように、客室側制御部１０の間でサーバ１を経由せずに設備機器の動作状態を取得できるから、要求先の客室における設備機器の動作状態がサーバ１側（すなわち宿泊施設の運営者側）に知られることはなく、宿泊客のプライバシーが守られる。
【００４０】
以上説明したように、本実施形態の客室間制御システムは、設備機器（例えば照明器具２１，２２，空調装置２３，人感センサ２４，ルームキー読取部２５）と、客室側制御部１０と、アクセス権制御部１ａと備える。設備機器（例えば照明器具２１，２２，空調装置２３，人感センサ２４，ルームキー読取部２５）は、宿泊施設にある複数の客室Ｒ１，Ｒ２…Ｒｎの各々に設けられている。客室側制御部１０は、複数の客室Ｒ１，Ｒ２…Ｒｎの各々に設けられて、自室にある設備機器の動作状態を管理する。アクセス権制御部１ａは、何れかの客室側制御部１０から他の客室側制御部１０へのアクセス要求があると、要求元の客室側制御部１０から要求先の客室側制御部１０へのアクセス権限を判定する。また、各々の客室側制御部１０には、アクセス要求発生部１１ａと、機器情報取得部１１ｂと、在室状態判定部１１ｃとが設けられている。アクセス要求発生部１１ａは、宿泊客による操作に応じて他の客室にある客室側制御部１０へのアクセス要求を発生する。機器情報取得部１１ｂは、アクセス権制御部１ａによって他の客室にある客室側制御部１０へのアクセス権限が認められると、他の客室にある客室側制御部１０にアクセスし、他の客室にある設備機器の動作状態を取得する。在室状態判定部１１ｃは、機器情報取得部１１ｂが取得した他の客室にある設備機器の動作状態をもとに他の客室での在室状態を判定し、自室内にある表示部（モニタ機器２６）に判定結果を表示させる。
【００４１】
これにより、ある客室に宿泊する宿泊客が、他の客室に宿泊する宿泊客の在室状態を知りたい場合、自室にある客室側制御部１０からアクセス要求を発生させる。自室にある客室側制御部１０は、他の客室にある客室側制御部１０からアクセス権限が認められると、他の客室にある客室側制御部１０にアクセスして設備機器の動作状態を取得する。そして、在室状態判定部１１ｃは、取得した設備機器の動作状態をもとに、他の客室での在室状態を判定し、自室内にある表示部（モニタ機器２６）に判定結果を表示させているので、自室に居ながらにして他の客室での在室状態を把握できるから、宿泊客の利便性が向上する。また、他の客室へのアクセスを要求した客室側制御部１０は、アクセス権制御部１ａによってアクセス権限が認められなければ、他の客室の客室側制御部１０にアクセスできないので、アクセス権限が認められた客室からしか在室状態が判らないように制限を掛けることができる。
【００４２】
また、本実施形態の客室間制御システムでは、設備機器として、客室内に設けられルームキーの挿入を検知すると自室にある他の設備機器の動作を可能にするルームキー検知装置（ルームキー読取部２５）が設けられている。機器情報取得部１１ｂは、他の客室にあるルームキー読取部２５の検知状態を取得し、在室状態判定部１１ｃは、他の客室にあるルームキー読取部２５によってルームキーが検知されていれば、他の客室に宿泊客が在室していると判断する。宿泊客が外出する場合は、ルームキー読取部２７からルームキーが外されるので、ルームキー読取部２７の検知状態をもとに、客室内に宿泊客が在室しているか否かを確実に判定できる。
【００４３】
また、本実施形態の客室間制御システムでは、設備機器として、宿泊客によってオン／オフが切り替えられる電気機器（例えば照明器具２１，２２及び空調装置２３）がある。機器情報取得部１１ｂは、他の客室にあるルームキー検知装置（ルームキー読取部２５）の検知状態に加えて、他の客室にある電気機器のオン／オフ状態を取得する。在室状態判定部１１ｃは、ルームキー読取部２５の検知状態をもとに在室中と判断した場合、他の客室にある電気機器のオン／オフ状態をもとに、宿泊客が起床中か就寝中かを判断している。ここで、在室中の宿泊客が就寝している場合は電気機器のオン／オフを切り替える操作は行われないと考えられるので、在室状態判定部１１ｃは、電気機器のオン／オフ状態をもとに、宿泊客が起床中か就寝中かを判断することができ、より詳細な在室判定が行える。例えば複数の客室に別れて宿泊している家族や団体客が起床後に一緒に行動したい場合、本システムでは他の客室まで出向いたり、電話をかけたりしなくても、他室の宿泊客が起床しているか否かを把握できるから、利便性が向上する。
【００４４】
また、本実施形態の客室間制御システムでは、設備機器として、客室の居室部分における人の存否を検知する人感センサ２４が設けられている。機器情報取得部１１ｂは、他の客室にあるルームキー検知装置（ルームキー読取部２５）の検知状態に加えて、他の客室にある人感センサ２４の検知状態を取得する。在室状態判定部１１ｃは、ルームキー読取部２５の検知状態をもとに在室中と判断した場合、他の客室にある人感センサ２４の検知結果をもとに、他の客室内で宿泊客が居室部分にいるか、居室部分以外にいるかを判断する。したがって、在室状態判定部１１ｃは、人感センサ２４の検知状態をもとに、宿泊客が在室中か不在中かだけでなく、在室中は宿泊客が居室部分にいるか否かまで判定することできる。
【００４５】
また、本実施形態の客室間制御システムにおいて、各々の客室に設けられた客室側制御部１０にアクセス権制御部が設けられることも好ましい。この場合、客室側制御部１０に設けられたアクセス権制御部は、他の客室にある客室側制御部１０からのアクセス要求に応じて、自室にある客室側制御部へのアクセス権限の有無を判定する。
【００４６】
これにより、客室側制御部１０の間でサーバ１を経由せずに設備機器の動作状態を取得できるから、要求先の客室における設備機器の動作状態がサーバ１側（すなわち宿泊施設の運営者側）に知られることはなく、宿泊客のプライバシーを守ることができる。
【００４７】
尚、アクセス権制御部１ａは、宿泊客の宿泊期間（例えばチェックイン時刻から翌日のチェックアウト時刻まで）に、ある客室から別の客室へアクセス要求が複数回行われる場合、最初の１回のみアクセスを許可するか否かを問い合わせてもよい。そして、宿泊期間内で同じ客室Ｒｘから同じ客室Ｒｙ（Ｒｘ≠Ｒｙ）へのアクセス要求が複数回あった場合、アクセス権制御部１ａは、最初のアクセス時に要求先の客室側制御部１０からの応答結果に基づいて、アクセスを許可するか否かを決定してもよい。これにより、同じ宿泊客が宿泊している期間中に、同じ客室の客室側制御部１０から、同じ要求先の客室にある客室側制御部１０にアクセスする場合に、その都度、要求先の宿泊客がアクセスを認めるか否かを応答する手間を省くことができる。
【００４８】
また、サーバ１のアクセス権制御部１ａに、客室Ｒ１，Ｒ２，…，Ｒｎにある客室側制御部１０の各々について、他の客室へのアクセス権限を認めるか否かが予め設定されていてもよい。例えば団体客が複数の客室に分かれて宿泊する際に、団体客のメンバーから他のメンバーが宿泊する客室の状態を確認したいという要望があると、宿泊施設の管理者（例えばフロント係）がサーバ１を操作してアクセス権限の設定を行う。すなわち宿泊施設の管理者はサーバ１を操作して、団体客のメンバーが宿泊する客室を指定し、この客室にある客室側制御部１０に、団体客の他のメンバーが宿泊する客室の客室側制御部１０にアクセスする権源を付与する。この場合、団体客のメンバーが宿泊する全客室の客室側制御部１０に、団体客用の他の客室にある客室側制御部１０へのアクセス権を付与して、相互に他の部屋の状況を確認できるようにしてもよい。また修学旅行のような団体客の場合、団体客用の複数の客室のうち一部の客室（例えば引率者の宿泊する客室）にある客室側制御部１０のみに、他の客室にある客室側制御部１０へのアクセス権を付与し、引率者のみが他の部屋の状況を確認できるようにしてもよい。
【００４９】
また、本実施形態の客室間制御システムでは、客室Ｒ１，Ｒ２…Ｒｎの各々に設けられた客室側制御部１０に機器制御部１１ｄが設けられている。アクセス権制御部１ａによって他の客室にある客室側制御部１０へのアクセス権限が認められると、機器制御部１１ｄは、宿泊客が例えばモニタ機器２６を用いて入力した制御内容にしたがって、他の客室にある設備機器の動作を制御する制御命令を作成し、上位通信処理部１４からサーバ１へ送信させる。サーバ１は、アクセス要求があった客室側制御部１０から制御命令を受信すると、この制御命令をアクセス先の客室側制御部１０に送信する。アクセス先の客室側制御部１０は、サーバ１経由で制御命令を受信すると、機器入出力処理部１２から対応する設備機器へ制御命令を出力しており、所望の設備機器に所望の動作を行わせることができる。これにより、自室にいながら、他の客室にある設備機器の動作を制御することができる。例えば修学旅行のような団体客が複数の客室に宿泊している場合、引率者は自室の客室側制御部１０を操作して、生徒が宿泊する客室の照明器具２１，２２を消灯させることができ、照明を消して生徒達に就寝を促すといった使い方が行える。また複数の客室に分かれて宿泊している宿泊客が何れかの客室に集まっている状態で、それぞれが自室に戻る前に、集合している部屋の客室側制御部１０を用いて自室の客室側制御部１０にアクセスし、自室にある空調装置を動作させておくといった使い方も可能になる。
【００５０】
このように、本実施形態の客室間制御システムでは、各々の客室側制御部１０に機器制御部１１ｄが設けられている。アクセス権制御部１ａによって他の客室にある客室側制御部１０へのアクセス権限が認められると、機器制御部１１ｄは、他の客室にある客室側制御部１０にアクセスし、他の客室にある設備機器の動作を制御する。これにより、宿泊客は、自室に居ながらも、他の客室にある設備機器を動作させることができる。
【符号の説明】
【００５１】
１  サーバ
１ａ  アクセス権制御部
１０  客室側制御部
１１  制御処理部
１１ａ  アクセス要求発生部
１１ｂ  機器情報取得部
１１ｃ  在室状態判定部
１１ｄ  機器制御部
２１，２２  照明器具（設備機器、電気機器）
２３  空調装置（設備機器、電気機器）
２４  人感センサ（設備機器）
２５  ルームキー読取部（設備機器、ルームキー検知装置）
２６  モニタ機器（表示部）
Ｆ１  フロント
Ｒ１，Ｒ２…Ｒｎ  客室
【図１】
2013127697.tif 000003
【図２】
2013127697.tif 000004
【図３】
2013127697.tif 000005
【図４】
2013127697.tif 000006
【図５】
2013127697.tif 000007